【手続補正書】
【提出日】平成15年10月31日(2003.10.31)
【手続補正１】
【補正対象書類名】明細書
【補正対象項目名】発明の名称
【補正方法】変更
【補正の内容】
【発明の名称】ディジタルデータ処理装置及びその方法


【手続補正２】
【補正対象書類名】明細書
【補正対象項目名】特許請求の範囲
【補正方法】変更
【補正の内容】
【特許請求の範囲】
【請求項１】
信号系列に相関性のあるディジタルデータを圧縮符号化する圧縮符号化手段と、
上記圧縮符号化手段により圧縮符号化されたディジタルデータを固定長のブロックに分割する分割手段と、
上記分割手段により分割して得られたブロックデータに対して、上記圧縮符号化されたディジタルデータを単独で復号できる単位を認識するためのアドレス情報を付加する付加手段と、
上記付加手段によりアドレス情報が付加されたブロックデータに対して誤り検査符号を付加する誤り検査符号符号化手段と、
上記誤り検査符号符号化手段により処理されたブロックデータを伝送する伝送手段とを有することを特徴とするディジタルデータ処理装置。
【請求項２】
信号系列に相関性のあるディジタルデータを圧縮符号化し、上記圧縮符号化されたディジタルデータを固定長のブロックに分割し、上記分割して得られたブロックデータに対して、上記圧縮符号化されたディジタルデータを単独で復号できる単位を認識するためのアドレス情報を付加し、上記アドレス情報が付加されたブロックデータに対して誤り検査符号を付加して伝送されたブロックデータを処理するディジタルデータ処理装置であって、
上記ブロックデータに付加された誤り検査符号を用いて誤り検出する誤り検出手段と、
上記誤り検出手段の検出結果、及び上記ブロックデータに付加されたアドレス情報に基づいて、上記ブロックデータを復号化する復号化手段とを有することを特徴とするディジタルデータ処理装置。
【請求項３】
上記アドレス情報は、上記圧縮符号化されたディジタルデータを単独で復号できる単位に番地分けした情報と、上記単独で復号できる単位の最初のビット位置を示す情報とを含むことを特徴とする請求項１又は２記載のディジタルデータ処理装置。
【請求項４】
上記圧縮符号化手段は、ＭＰＥＧ方式により圧縮符号化することを特徴とする請求項１〜３の何れか１項に記載のディジタルデータ処理装置。
【請求項５】
信号系列に相関性のあるディジタルデータを圧縮符号化する圧縮符号化工程と、
上記圧縮符号化されたディジタルデータを固定長のブロックに分割する分割工程と、
上記分割して得られたブロックデータに対して、上記圧縮符号化されたディジタルデータを単独で復号できる単位を認識するためのアドレス情報を付加する付加工程と、
上記アドレス情報が付加されたブロックデータに対して誤り検査符号を付加する誤り検査符号符号化工程と、
上記誤り検査符号が付加されたブロックデータを伝送する伝送工程とを有することを特徴とするディジタルデータ処理方法。
【請求項６】
信号系列に相関性のあるディジタルデータを圧縮符号化し、上記圧縮符号化されたディジタルデータを固定長のブロックに分割し、上記分割して得られたブロックデータに対して、上記圧縮符号化されたディジタルデータを単独で復号できる単位を認識するためのアドレス情報を付加し、上記アドレス情報が付加されたブロックデータに対して誤り検査符号を付加して伝送されたブロックデータを処理するディジタルデータ処理方法であって、
上記ブロックデータに付加された誤り検査符号を用いて誤り検出する誤り検出工程と、
上記誤り検出結果、及び上記ブロックデータに付加されたアドレス情報に基づいて、上記ブロックデータを復号化する復号化工程とを有することを特徴とするディジタルデータ処理方法。
【手続補正３】
【補正対象書類名】明細書
【補正対象項目名】０００１
【補正方法】変更
【補正の内容】
【０００１】
【発明の属する技術分野】
本発明は、ディジタルデータを圧縮符号化して伝送するディジタルデータ処理装置及びその方法に関するものである。


【手続補正４】
【補正対象書類名】明細書
【補正対象項目名】００１７
【補正方法】変更
【補正の内容】
【００１７】
そこで、本発明は、上記の欠点を除去するために成されたもので、伝送パケット内のデータ長が可変であっても、パケット単位でのエラー処理を可能とすることにより、効率良く伝送を行うディジタルデータ処理装置及びその方法を提供することを目的とする。


【手続補正５】
【補正対象書類名】明細書
【補正対象項目名】００１８
【補正方法】変更
【補正の内容】
【００１８】
【課題を解決するための手段】
本発明のディジタルデータ処理装置は、信号系列に相関性のあるディジタルデータを圧縮符号化する圧縮符号化手段と、上記圧縮符号化手段により圧縮符号化されたディジタルデータを固定長のブロックに分割する分割手段と、上記分割手段により分割して得られたブロックデータに対して、上記圧縮符号化されたディジタルデータを単独で復号できる単位を認識するためのアドレス情報を付加する付加手段と、上記付加手段によりアドレス情報が付加されたブロックデータに対して誤り検査符号を付加する誤り検査符号符号化手段と、上記誤り検査符号符号化手段により処理されたブロックデータを伝送する伝送手段とを有することを特徴とする。
また、本発明のディジタルデータ処理装置は、信号系列に相関性のあるディジタルデータを圧縮符号化し、上記圧縮符号化されたディジタルデータを固定長のブロックに分割し、上記分割して得られたブロックデータに対して、上記圧縮符号化されたディジタルデータを単独で復号できる単位を認識するためのアドレス情報を付加し、上記アドレス情報が付加されたブロックデータに対して誤り検査符号を付加して伝送されたブロックデータを処理するディジタルデータ処理装置であって、上記ブロックデータに付加された誤り検査符号を用いて誤り検出する誤り検出手段と、上記誤り検出手段の検出結果、及び上記ブロックデータに付加されたアドレス情報に基づいて、上記ブロックデータを復号化する復号化手段とを有することを特徴とする。
また、本発明のディジタルデータ処理方法は、信号系列に相関性のあるディジタルデータを圧縮符号化する圧縮符号化工程と、上記圧縮符号化されたディジタルデータを固定長のブロックに分割する分割工程と、上記分割して得られたブロックデータに対して、上記圧縮符号化されたディジタルデータを単独で復号できる単位を認識するためのアドレス情報を付加する付加工程と、上記アドレス情報が付加されたブロックデータに対して誤り検査符号を付加する誤り検査符号符号化工程と、上記誤り検査符号が付加されたブロックデータを伝送する伝送工程とを有することを特徴とする。
また、本発明のディジタルデータ処理方法は、信号系列に相関性のあるディジタルデータを圧縮符号化し、上記圧縮符号化されたディジタルデータを固定長のブロックに分割し、上記分割して得られたブロックデータに対して、上記圧縮符号化されたディジタルデータを単独で復号できる単位を認識するためのアドレス情報を付加し、上記アドレス情報が付加されたブロックデータに対して誤り検査符号を付加して伝送されたブロックデータを処理するディジタルデータ処理方法であって、上記ブロックデータに付加された誤り検査符号を用いて誤り検出する誤り検出工程と、上記誤り検出結果、及び上記ブロックデータに付加されたアドレス情報に基づいて、上記ブロックデータを復号化する復号化工程とを有することを特徴とする。


【手続補正６】
【補正対象書類名】明細書
【補正対象項目名】００１９
【補正方法】削除
【補正の内容】
【手続補正７】
【補正対象書類名】明細書
【補正対象項目名】００６３
【補正方法】変更
【補正の内容】
【００６３】
【発明の効果】
以上説明したように本発明によれば、ブロック内のディジタルデータが可変長符号化されたデータであっても、ブロック単位でのエラー処理を行うことができ、効率の良い伝送を行うことができる。